(57)【特許請求の範囲】
【請求項１】
被写体像のブレを補正するブレ補正レンズと、
前記ブレ補正レンズを保持するブレ補正レンズ保持部材と、
前記ブレ補正レンズ保持部材を揺動自在に保持し前記ブレ補正レンズを光軸に進出させる進出位置と、前記光軸から退避する退避位置との間で変位させ、且つ前記進出位置に向けて付勢して前記ブレ補正レンズを前記進出位置に位置させるスライダと、
前記スライダを前記光軸に直交する面内で移動自在に保持するスライダ保持部材と、
前記スライダを前記光軸に直交する面内で第１方向及び前記第１方向に直交する第２方向に移動するボイスコイルモータと、
前記スライダ保持部材を光軸方向で第１位置及び第２位置に移動させるスライダ保持部材移動機構と、
前記スライダ保持部材が前記光軸方向に前記第１位置から前記第２位置へ移動する状態にて、前記ブレ補正レンズ保持部材の係合部が接触し、前記ブレ補正レンズを前記進出位置から前記退避位置に変位させる退避作用部材と、
前記ボイスコイルモータにより前記スライダを前記スライダ保持部材に対する移動限度に移動させ、前記スライダ保持部材が前記第１位置から前記第２位置へ移動する状態にて、前記ブレ補正レンズ保持部材の前記係合部を前記退避作用部材の一定位置に当接させるスライダ初期位置移動機構と
を備え、
前記退避作用部材は、固定ベースに前記光軸方向に突出して形成され、
前記固定ベースは、前記退避作用部材から離間して配され前記光軸方向に突出して形成されるガイド棒と前記ガイド棒の先端部に形成されるテーパー状のガイド面とを有し、
前記スライダは、前記ガイド棒が挿入され前記スライダを前記光軸方向に移動自在に案内するガイド穴と、前記ガイド穴の縁部に形成されるテーパー状のガイド面とを有し、
前記ガイド棒の先端と前記ガイド穴との嵌合開始位置は、前記係合部と前記退避作用部材との係合開始直前である
レンズ鏡胴。
【請求項２】
前記スライダ及び前記スライダ保持部材の対向面に設けられ、互いに離間して配される少なくとも３個の転動可能なガイドボールと、
前記ガイドボールを介して前記スライダを前記スライダ保持部材の対向面に押圧する付勢部材と
を有する請求項１記載のレンズ鏡胴。
【請求項３】
前記退避作用部材は、
前記ブレ補正レンズ保持部材の取付軸の周囲で螺旋状に形成される退避作用面と、
前記退避作用面に前記光軸方向に連続して形成される収納位置保持面とを有する請求項１又は２記載のレンズ鏡胴。
【請求項４】
前記スライダ保持部材が前記スライダ保持部材移動機構により前記第１位置から前記第２位置へ移動して筒長が短くなり、前記ブレ補正レンズ保持部材が前記光軸から退避した空間に、前記ブレ補正レンズとは異なるレンズが収納される請求項１から３いずれか１項記載のレンズ鏡胴。
【発明の詳細な説明】
【技術分野】
【０００１】
本発明は、レンズ鏡胴に関する。
【背景技術】
【０００２】
デジタルカメラや双眼鏡等の光学装置では、ズームレンズが多用されている。特にコンパクト化の要請から、レンズ鏡胴がカメラ本体等のボディ内に収納される収納状態と、ボディから突出した撮影状態との間で、筒長が変更されるズームレンズを備えたものがある。
【０００３】
このようなズームレンズの中には、結像レンズのうちのブレ補正レンズを、撮影状態から収納状態への光軸方向での移動の途中で光軸上から退避させて、退避させた空間に結像レンズの他のレンズを収納するものがある（例えば、特許文献１，２参照）。これによって、収納状態におけるレンズ鏡胴の光軸方向の薄型化が図られ、携帯性が向上する。
【先行技術文献】
【特許文献】
【０００４】
【特許文献１】特開２０１１−１７０２６２号公報
【特許文献２】特開２０１４−１７４４９１号公報
【発明の概要】
【発明が解決しようとする課題】
【０００５】
例えばガイド棒を有する第１スライダ及び第２スライダからなるスライダを用いる特許文献１記載のレンズ鏡胴では、水平方向及び垂直方向に配されるガイド棒を用いて光軸直交面内でブレ補正レンズを移動させている。１対のガイド棒やこのガイド棒で案内される保持部を有するため、その分だけ構成が複雑になる。また、ガイド棒を摺動させる構造となるため、ブレ補正レンズの移動時の抵抗が増え、その分だけボイスコイルモータが大きくなり、コンパクト化が図れない。
【０００６】
これに対して、特許文献２に記載の光学機器の防振機構では、複数のガイドボールからなる球状転動体を介して防振移動部材をベース部材に対して撮影光学系の光軸と直交する面に沿って移動可能に支持している。ガイドボールによって防振移動部材をベース部材に対して移動案内しているため、特許文献１に記載のようなガイド棒を用いる必要がなく、その分だけ構成を簡単にすることができる。
【０００７】
しかしながら、特許文献２では、ガイドボールを用いていて簡単な構成にしているものの、防振用光学要素である第３レンズ群（ブレ補正レンズ）を、光軸に進入させた進入位置と、光軸から退避した退避位置との間で変位させるため、挿脱枠及び離脱駆動レバーの二つの揺動部材を用いている。このため、二つの揺動部材を揺動自在に保持しこれらを係合させる複雑な構成となり、コンパクト化の障害になっている。
【０００８】
そこで、公知文献１のガイド軸によるスライダに対して、公知文献２のようなガイドボールを用いて構成の簡素化を図ろうとすると、ガイドボールによるスライダの移動では、水平方向及び垂直方向への移動の他に回転も可能となり、スライダがスライダ保持部材に対して回転してしまう。このため、スライダに設けたブレ補正レンズ保持枠の係合部と、ベースに設けた退避作用部材との係合位置が、回転変位が加わる分だけ大きくずれてしまう。この係合部の位置ずれによって、ブレ補正レンズ保持枠の退避動作が円滑に行われなくなる。また、ブレ補正レンズ保持枠の係合部が退避作用部材から外れないように、退避作用部材の係合面を位置ずれ量の増加に伴い大型化すると、コンパクト化が図れなくなるという新たな問題も発生する。
【０００９】
本発明は、簡単且つコンパクトな構成で、ブレ補正レンズを円滑に光軸進入位置から退避させることができるレンズ鏡胴を提供することを目的とする。
【課題を解決するための手段】
【００１０】
上記目的を達成するために、本発明のレンズ鏡胴は、被写体像のブレを補正するブレ補正レンズと、ブレ補正レンズ保持部材と、スライダと、スライダ保持部材と、ボイスコイルモータと、スライダ保持部材移動機構と、退避作用部材と、スライダ初期位置移動機構とを備える。ブレ補正レンズ保持部材は、ブレ補正レンズを保持する。スライダは、ブレ補正レンズ保持部材を揺動自在に保持しブレ補正レンズを光軸に進出させる進出位置と、光軸から退避する退避位置との間で変位させ、且つ進出位置に向けて付勢してブレ補正レンズを進出位置に位置させる。スライダ保持部材は、スライダを光軸に直交する面内で移動自在に保持する。ボイスコイルモータは、スライダを光軸に直交する面内で第１方向及び第１方向に直交する第２方向に移動する。スライダ保持部材移動機構は、スライダ保持部材を光軸方向で第１位置及び第２位置に移動させる。退避作用部材は、スライダ保持部材が光軸方向に第１位置から第２位置へ移動する状態にて、ブレ補正レンズ保持部材の係合部が接触し、ブレ補正レンズを進出位置から退避位置に変位させる。スライダ初期位置移動機構は、ボイスコイルモータによりスライダをスライダ保持部材に対する移動限度に移動させ、スライダ保持部材が第１位置から第２位置へ移動する状態にて、ブレ補正レンズ保持部材の係合部を退避作用部材の一定位置に当接させる。退避作用部材は、固定ベースに光軸方向に突出して形成される。固定ベースは、退避作用部材から離間して配され光軸方向に突出して形成されるガイド棒とガイド棒の先端部に形成されるテーパー状のガイド面とを有する。スライダは、ガイド棒が挿入されスライダを光軸方向に移動自在に案内するガイド穴と、ガイド穴の縁部に形成されるテーパー状のガイド面とを有する。ガイド棒の先端とガイド穴との嵌合開始位置は、係合部と退避作用部材との係合開始直前である。
【００１１】
なお、スライダ及びスライダ保持部材の対向面に設けられ、互いに離間して配される少なくとも３個の転動可能なガイドボールと、ガイドボールを介してスライダをスライダ保持部材の対向面に押圧する付勢部材とを有することが好ましい。退避作用部材は、ブレ補正レンズ保持部材の取付軸の周囲で螺旋状に形成される退避作用面と、退避作用面に光軸方向に連続して形成される収納位置保持面とを有することが好ましい。また、スライダ保持部材がスライダ保持部材移動機構により第１位置から第２位置へ移動して筒長が短くなり、ブレ補正レンズ保持部材が光軸から退避した空間に、ブレ補正レンズとは異なるレンズが収納されることが好ましい。
【発明の効果】
【００１４】
本発明によれば、スライダ保持部材に対してスライダを常に一定位置に保持させた状態で、スライダに取り付けられたブレ補正レンズ保持枠の係合部と退避作用部材との係合を開始させるため、常に一定した係合位置で両者を係合させることができ、安定したブレ補正レンズ保持枠の退避動作が得られる。また、ブレ補正レンズ保持枠という一つのレバーとガイドボールとの組み合わせを用いて構成の簡素化、コンパクト化が図れる。
【図面の簡単な説明】
【００１５】
【図１】本発明のレンズ鏡胴を用いたデジタルカメラを示す光軸に沿う方向の縦断面図である。
【図２】レンズ鏡胴のブレ補正レンズ退避装置を分解して示す被写体側から見た斜視図である。
【図３】レンズ鏡胴のブレ補正レンズ退避装置を分解して示す結像側から見た斜視図である。
【図４】スライダとガイドボールを示す斜視図である。
【図５】撮影状態にあるレンズ鏡胴のブレ補正レンズ退避装置を被写体側から見た斜視図である。
【図６】収納状態にあるレンズ鏡胴のブレ補正レンズ退避装置を被写体側から見た斜視図である。
【図７】収納状態にあるレンズ鏡胴のブレ補正レンズ退避装置を被写体側から図６とは異なる角度で見た斜視図である。
【図８】スライダ保持部材に対してスライダが片寄せされた状態のスライダと移動規制ピンとの関係の一例を示す正面図である。
【図９】レンズ鏡胴のブレ補正レンズ退避方法を示すフローチャートである。
【図１０】ガイド棒がガイド筒に嵌合する直前の状態を示すレンズ鏡胴のブレ補正レンズ退避装置を示す側面図である。
【図１１】撮影状態のレンズ鏡胴のブレ補正レンズ退避装置を示す側面図である。
【図１２】スライダ保持部材に対してスライダが片寄せされた状態のスライダと移動規制ピンとの関係の他の例を示す正面図である。
【発明を実施するための形態】
【００１６】
図１に示すように、本発明のレンズ鏡胴の一実施形態であるデジタルカメラ１０は、カメラ本体１１の前面にレンズ鏡胴１２を有する。レンズ鏡胴１２は、レンズを繰り出した撮影状態と、レンズを収納した不使用時の収納状態とに切り換えられる。以下、レンズ鏡胴１２の光軸方向をＺ軸とし、光軸方向に直交する水平方向をＸ軸とし、光軸方向に直交する鉛直方向をＹ軸として、説明する。
【００１７】
レンズ鏡胴１２は、例えば固定筒１３と、駆動筒１４と、直進筒１５と、回転筒１６と、移動筒１７とを備え、結像レンズ２０を内蔵している。結像レンズ２０は、移動筒１７に固定される第１レンズ群２１、直進筒１５に保持される第２レンズ群２２、ブレ補正レンズ２３及びフォーカスレンズ２４を有している。
【００１８】
結像レンズ２０は、沈胴、繰出し、テレワイド（Ｔ／Ｗ）切り換え、及びピント調整に応じて、ブレ補正レンズ２３を除くいずれかあるいは全てのレンズが光軸方向に移動するように構成されている。本実施形態でいう「第１レンズ群２１、第２レンズ群２２」のそれぞれは、光学的に区分されるレンズ群ではなく、移動単位としてのレンズ群を意味している。
【００１９】
フォーカスレンズ２４は、図示しないフォーカスレンズ駆動装置によって光軸方向に移動され、フォーカシングが行われる。フォーカスレンズ２４の背面側には、ＣＣＤ等からなるイメージセンサ１９がベース１８に固定されている。
【００２０】
固定筒１３はベース１８に固定されて、光軸方向の移動や、光軸まわりの回転が規制されている。駆動筒１４は、固定筒１３の内面に配されている。駆動筒１４は図示しないズーム駆動モータから駆動力を受けて、固定筒１３に対し光軸を回転軸として回転を伴いながら、光軸方向に移動する。ズーム駆動モータは、ズームＴ／Ｗ切り換えレバー（図示せず）の操作に応じて正転又は逆転する。ズーム駆動モータの回転駆動力は、図示しない駆動ギアを介して駆動筒１４に伝達される。
【００２１】
直進筒１５は、駆動筒１４の内面に配されている。直進筒１５は、駆動筒１４の回転に伴って、回転を伴わずに光軸方向に駆動筒１４と一体的かつ直進的に移動する。直進筒１５には、スライダ保持部材３４が結像側（光軸方向の右側）に固定され、第２レンズ群保持枠（図示省略）が、スライダ保持部材３４よりも被写体側（光軸方向の左側）に保持されている。
【００２２】
回転筒１６は、直進筒１５の内面に配されている。回転筒１６は、駆動筒１４の回転に伴って、固定筒１３に対し光軸を回転軸として駆動筒１４と一体に回転しながら、光軸方向に移動する。移動筒１７には、被写体側で第１レンズ群保持枠２５が固定されている。第１レンズ群保持枠２５は、第１レンズ群２１を保持している。移動筒１７は、回転筒１６の内面に配される。移動筒１７は、被写体側前面１７ａが回転筒１６よりも突出し、回転筒１６の回転に伴って、回転を伴わずに光軸方向に直進的に移動する。
【００２３】
図１に示す収納状態では、ブレ補正レンズ２３を保持するブレ補正レンズ保持部材３２が、光軸から退避した退避位置に回動して、第２レンズ群２２を避けた位置に位置している。そのため、第２レンズ群２２が、スライダ保持部材３４に近接する位置まで移動させられ、収納状態におけるレンズ鏡胴１２の光軸方向の薄型化を実現している。また、第２レンズ群２２は、図示しない第２レンズ群駆動装置により光軸方向に移動するように構成されている。
【００２４】
図２及び図３に示すように、ブレ補正レンズ退避装置３０は、ブレ補正レンズ２３と、ブレ補正レンズ保持部材３２と、スライダ３３と、スライダ保持部材３４と、ボイスコイルモータ（Voice  Coil  Moter：以下、単にＶＣＭという）３５と、スライダ保持部材移動機構３６と、退避作用部材３７と、スライダ初期位置移動機構３８と、固定ベース３９とを備えている。
【００２５】
ブレ補正レンズ２３は被写体像のブレを補正するものであり、ブレ補正レンズ保持部材３２に保持されている。ブレ補正レンズ保持部材３２は、ブレ補正レンズ２３を保持する保持枠３２ａ、アーム３２ｂ、取付軸３２ｃ、係合部３２ｄ（図３参照）、係止片３２ｅを有する。アーム３２ｂは、一端が保持枠３２ａに他端が取付軸３２ｃに連結されている。取付軸３２ｃは、スライダ３３に取付ブラケット３３ｂを介して光軸方向に取り付けられる。取付軸３２ｃにはトーションばね４１が取り付けられる。トーションばね４１の一端は取付ブラケット３３ｂに係止し、他端はアーム３２ｂに係止して、アーム３２ｂを時計方向に付勢している。
【００２６】
図４に示すように、スライダ３３は略矩形板状に形成されている。スライダ３３の被写体側の面（表面）３３ａには、取付ブラケット３３ｂの他に、円形の光軸開口３３ｃ、長方形のコイル取付穴３３ｄ，３３ｅ、正方形の移動規制穴３３ｇ及びガイドボール収納穴３３ｈが形成されている。また、光軸開口３３ｃの近くで被写体側の面３３ａには、光軸方向に係止ピン３３ｆが突出して形成されている。図５に示すようち、係止ピン３３ｆには、ブレ補正レンズ２３が光軸にセットされた状態で、係止片３２ｅが係止する。これにより、ブレ補正レンズ２３が光軸進出位置に位置決めされる。
【００２７】
図４に示すように、ガイドボール収納穴３３ｈは、光軸開口３３ｃを中心として略１２０°間隔で周方向に３個離間して配される。このガイドボール収納穴３３ｈには、ガイドボール収納穴３３ｈ内で転動可能なガイドボール４０が収納される。
【００２８】
移動規制穴３３ｇは、光軸開口３３ｃを中心として１８０°間隔で周方向に２個離間して配される。この移動規制穴３３ｇには、スライダ保持部材３４の移動規制ピン３４ｇ（図３参照）が入り込む。図８に示すように、移動規制ピン３４ｇは、移動規制穴３３ｇの側壁に当たるとそれ以上の移動が規制されるため、移動規制穴３３ｇの範囲内で移動が許容される。
【００２９】
図３に示すように、スライダ３３の裏面３３ｊには、スライダ３３の外周近くで光軸開口３３ｃを中心として略１２０°間隔で周方向に３個のばね取付ブラケット３３ｋが設けられている。
【００３０】
図２に示すように、スライダ保持部材３４は、円盤状に形成されており、中央部には被写体側の面（表面）３４ａから光軸方向に突出した段部３４ｂが形成されている。段部３４ｂ内には、スライダ３３の他にＶＣＭ３５が配される。段部３４ｂの中央部には、光軸開口３４ｃが形成されている。また、光軸開口３４ｃに連続して、係止ピン突出開口３４ｄが形成されている。更に、段部３４ｂの外周縁部の一部には切欠き３４ｅが形成されている。切欠き３４ｅからは、スライダ３３の角部や取付ブラケット３３ｂが突出する。取付ブラケット３３ｂには、ブレ補正レンズ保持部材３２が取り付けられ、段部３４ｂの表面にブレ補正レンズ保持部材３２が揺動自在に取り付けられる。
【００３１】
スライダ保持部材３４の外周面には、略１２０°間隔で３個の固定爪３４ｆが突出して形成されている。固定爪３４ｆは、直進筒１５の内周面に係止して、スライダ保持部材３４を直進筒１５に固定する。また、スライダ３３のばね取付ブラケット３３ｋに対応する位置で、ばね取付ブラケット３４ｋが設けられている。これらのばね取付ブラケット３３ｋ，３４ｋにはコイルばね４４が掛けられている。コイルばね４４は、スライダ３３をスライダ保持部材３４に密着させるように付勢する。スライダ３３とスライダ保持部材３４との間には、ガイドボール収納穴３３ｈにガイドボール４０が入れられて、ガイドボール４０を介してスライダ３３とスライダ保持部材３４とは平行に保持される。
【００３２】
図３に示すように、スライダ保持部材３４の裏面３４ｊには、スライダ３３の移動規制穴３３ｇに対応する位置で、移動規制ピン３４ｇが光軸方向に突出して形成されている。この移動規制ピン３４ｇは、スライダ３３がスライダ保持部材３４にコイルばね４４の付勢で間にガイドボール４０を介して密着するように保持された状態で、先端部が移動規制穴３３ｇ内に入り込む。したがって、スライダ３３がスライダ保持部材３４に対して光軸に直交するＸＹ平面内で移動しようとしても、図８に示すように、移動規制ピン３４ｇが移動規制穴３３ｇの壁面に当たり、スライダ３３の移動が規制される。
【００３３】
図２に示すように、ＶＣＭ３５は、２つのコイル５１，５２と、２つのマグネット５３，５４と、ヨーク５５，５６，５７と、フレキシブル回路基板５８とを備えている。コイル５１，５２はスライダ３３のコイル取付穴３３ｄ，３３ｅに収納される。二つのコイル５１，５２に対向する位置でヨーク５７には２つのマグネット５３，５４が固着されている。表側ヨーク５５，５６は、スライダ保持部材３４の表面３４ａ側に取り付けられる。裏側ヨーク５７は、スライダ保持部材３４の裏面３４ｊ側に取り付けられる。これらヨーク５５，５６、５７によって、２つのコイル５１，５２と、２つのマグネット５３，５４とが挟まれる。ＶＣＭ３５の各コイル５１，５２が通電されることによって、スライダ３３は光軸に直交するＸＹ平面内で、第１方向であるＸ軸方向及び第２方向であるＹ軸方向に移動する。
【００３４】
フレキシブル回路基板５８は、金属導体を樹脂フィルムで挟み付けた可撓性を有する帯状薄板から構成されている。フレキシブル回路基板５８は、二つのコイル５１，５２を制御回路６０に接続している。制御回路６０には図示しない手振れ検出センサが接続されている。制御回路６０は、手振れ検出センサからの信号に基づき被写体像のブレを補正する信号を２つのコイル５１，５２に送る。
【００３５】
ＶＣＭ３５を有するスライダ３３及びスライダ保持部材３４、手振れ検出センサ及び制御回路６０により、ブレ補正機構５０が構成される。ブレ補正機構５０は、図５に示すように、レンズ鏡胴１２が撮影状態で且つブレ補正レンズ２３が光軸進出位置にあるとき、手ぶれに応じて、ＶＣＭ３５によりスライダ３３をスライダ保持部材３４に対しＸＹ平面内でスライドさせる。これにより、ブレ補正レンズ保持部材３２に保持されたブレ補正レンズ２３によって被写体像のブレが補正される。
【００３６】
スライダ保持部材移動機構３６は、例えば駆動筒１４、直進筒１５、回転筒１６、移動筒１７、及び図示しないズーム駆動モータから構成されており、スライダ保持部材３４を光軸方向で撮影位置（第１位置）及び収納位置（第２位置）との間で移動させる。
【００３７】
図２に示すように、固定ベース３９は、ベース１８に固定されている。固定ベース３９には、退避作用部材３７が、固定ベース３９の被写体側の面（表面）から光軸方向に突出して形成されている。退避作用部材３７は、スライダ保持部材３４が収納位置にセットされた状態で、ブレ補正レンズ保持部材３２の取付軸３２ｃを囲む円筒の一部から構成されている。退避作用部材３７は、退避作用面３７ａと収納位置保持面３７ｂとを有する。図７に示すように、退避作用面３７ａは、退避作用部材３７の被写体側の端面を螺旋状に切り欠いて形成されている。収納位置保持面３７ｂは、退避作用面３７ａに光軸方向に連続して形成されている。
【００３８】
スライダ初期位置移動機構３８は、ブレ補正機構５０を用いて構成されており、制御回路６０により図９に示す処理を行う。撮影が終了し、メインスイッチがＯＦＦ、又は一定時間内に操作が行われない場合に、ブレ補正機構５０のＶＣＭ３５を通電する。この通電により、図８に示すように、スライダ３３はスライダ保持部材３４に対し一方の移動限度に移動（片寄せ）される。
【００３９】
次に、ズーム駆動モータを通電する。この通電により、スライダ保持部材３４が撮影位置から退避位置に移動を開始する。このスライダ保持部材３４の移動に対応して、図１１に示すように、退避作用部材３７の先端がスライダ保持部材３４の切欠き３４ｅから突出する。やがて、突出した退避作用部材３７の退避作用面３７ａがブレ補正レンズ保持部材３２の係合部３２ｄに当たる。退避作用面３７ａは螺旋状に形成されており、この退避作用面３７ａに沿って係合部３２ｄが摺動する。これにより、ブレ補正レンズ保持部材３２はトーションばね４１の付勢に抗して反時計方向に回転し、ブレ補正レンズ２３が図５に示す光軸進出位置から図６に示す退避位置に向けて変位する。
【００４０】
スライダ３３はスライダ保持部材３４に対して、図８に示すように片寄せされているので、ブレ補正レンズ保持部材３２の係合部３２ｄを退避作用面３７ａの一定位置に常に当接させることができる。したがって、係合部３２ｄが退避作用面３７ａへの係合部３２ｄの係合開始位置が常に一定の状態で、ブレ補正レンズ保持部材３２の進出位置から退避位置の揺動が開始され、ブレ補正レンズ保持部材３２の揺動を確実に且つ円滑に行うことができる。また、スライダ３３のスライダ保持部材３４に対する片寄せを行わない場合には、スライダ３３の移動規制穴３３ｇの範囲内で確実に係合部３２ｄを退避作用面３７ａに当接させるために、退避作用面３７ａをその分だけ大きく構成する必要がある。この場合には、レンズ鏡胴１２のコンパクト化が図れなくなるが、これを解消することができる。また、ＶＣＭ３５はコイル５１，５２の長手方向の全域に均等な力が発生するため、特許文献１のようにガイドバーを用いなくても、スライダ３３の回転が押さえられ、スライダ３３をスライダ保持部材３４に対して容易且つ迅速に片寄せすることができる。
【００４１】
固定ベース３９の表面には、図２に示すように、ガイド棒６２が光軸方向に突出して形成されている。また、ガイド棒６２に対応する位置で、スライダ３３の裏面３３ｊには、ガイド筒６３が設けられている。ガイド筒６３は、図１０に示すように、ガイド穴６４を有する。ガイド穴６４には、ガイド棒６２が嵌合して、前記スライダ３３を前記光軸方向に移動自在に案内する。ガイド穴６４の縁部には、テーパー状のガイド面６５が形成されている。ガイド面６５内にガイド棒６２の先端が位置すると、このガイド面６５によりガイド棒６２のガイド穴６４の挿入が案内される。ガイド筒６３へのガイド棒６２の嵌合により、スライダ３３が固定ベース３９と、スライダ保持部材３４とにより、ＸＹ平面内で移動不能に保持される。このガイド棒６２とガイド筒６３との嵌合により、収納位置でのスライダ保持部材３４の移動が規制される。
【００４２】
なお、図１０に示すガイド棒６２とガイド筒６３との長さを変えて、ガイド棒６２先端とガイド筒６３との係合開始位置を変えてもよい。例えば、ガイド棒６２とガイド筒６３の嵌合開始位置を、係合部３２ｄと退避作用面３７ａとの係合開始直前とすることにより、ＶＣＭ３５による片寄せの他に、ガイド棒６２とガイド筒６３とにより片寄せも併用することができる。
【００４３】
次に、本実施形態の作用を説明する。図示しないメインボタンがＯＮにされると、ズーム駆動モータが通電され、スライダ保持部材移動機構３６がスライダ保持部材３４を光軸方向で収納位置から撮影位置に移動させる。収納位置から撮影位置へのスライダ保持部材３４の移動により、ブレ補正レンズ保持部材３２は、図６に示す退避位置から、図５に示す撮影位置と変位する。ブレ補正レンズ保持部材３２はトーションばね４１の付勢により時計方向に付勢されている。スライダ保持部材３４の収納位置から撮影位置への移動により、係合部３２ｄは、退避作用部材３７の収納位置保持面３７ｂ（図７参照）から退避作用面３７ａへと接触部位が変化する。そして、ブレ補正レンズ２３は退避位置から光軸進入位置に切り換わり、撮影可能状態になる。撮影可能状態では、シャッタボタンの押圧操作により撮影が行われる。
【００４４】
図示しないシャッタボタンが半押しされると、フォーカスロックされ、フォーカスレンズ２４の位置をその半押しされた時点の位置に固定する。シャッタボタンが全押しされると、シャッタが切られて撮影が行われる。第１レンズ群２１、第２レンズ群２２、ブレ補正レンズ２３、及びフォーカスレンズ２４を経由してきた被写体光はイメージセンサ１９に入射される。イメージセンサ１９は被写体光を電気信号であるアナログの画像信号に変換し、図示しない電子回路により画像処理等が行なわれて記録メディア上に画像データが記録される。
【００４５】
撮影可能状態では、ブレ補正機構５０は、手ぶれに応じてＶＣＭ３５によりスライダ３３がスライダ保持部材３４に対しＸＹ平面内でスライドする。これにより、ブレ補正レンズ保持部材３２に保持されたブレ補正レンズ２３によって被写体像のブレが補正される。
【００４６】
撮影が終了して、メインスイッチがＯＦＦ又は一定時間経過しても操作が行われない場合には、図９に示すように、ＶＣＭ３５が通電されてスライダ３３が片寄せされる。次に、ズーム駆動モータが通電され、スライダ保持部材３４が撮影位置から収納位置に向けて移動する。この移動途中で、ブレ補正レンズ保持部材３２の係合部３２ｄが、退避作用部材３７の退避作用面３７ａに当たり係合する。この係合によって、ブレ補正レンズ保持部材３２はトーションばね４１の付勢に抗して、反時計方向に回転し、ブレ補正レンズ２３は光軸進入位置から退避位置に移動する。退避位置では、係合部３２ｄが収納位置保持面３７ｂに当たり、この状態が維持される。また、図１に示すように、ブレ補正レンズ２３が退避する前の空間には第２レンズ群２２が収納され、レンズ鏡胴１２の筒長が短くなって沈胴動作が完了する。
【００４７】
上記実施形態では、図８に示すように、ＶＣＭ３５を用いてスライダ３３をスライダ保持部材３４に対して、移動規制穴３３ｇの右上角部に移動規制ピン３４ｇを当接させて片寄せしている。この片寄せ方向は、図１２に示すように移動規制穴３３ｇの対角線方向の反対側である左下角部や、その他の左上角部、右下角部であってもよい。
【００４８】
上記実施形態では、図２及び図３に示すように、移動規制穴３３ｇをスライダ３３に、移動規制ピン３４ｇをスライダ保持部材３４に設けたが、移動規制穴３３ｇをスライダ保持部材３４に、移動規制ピン３４ｇをスライダ３３に設けてもよい。また、ガイドボール収納穴３３ｈをスライダ３３に設けたが、ガイドボール収納穴３３ｈはスライダ保持部材３４に設けてもよく、更にはスライダ３３及びスライダ保持部材３４の両方に設けてもよい。
【符号の説明】
【００４９】
２０    結像レンズ
２１    第１レンズ群
２２    第２レンズ群
２３    ブレ補正レンズ
２４    フォーカスレンズ
３０    ブレ補正レンズ退避装置
３２    ブレ補正レンズ保持部材
３２ａ  保持枠
３２ｄ  係合部
３２ｅ  係止片
３３    スライダ
３３ｆ    係止ピン
３３ｇ  移動規制穴
３３ｈ  ガイドボール収納穴
３４    スライダ保持部材
３４ｇ  移動規制ピン
３５    ＶＣＭ
３６    スライダ保持部材移動機構
３７    退避作用部材
３７ａ  退避作用面
３７ｂ  収納位置保持面
３８    スライダ初期位置移動機構
３９    固定ベース
４０    ガイドボール
５０    ブレ補正機構
６２    ガイド棒
６３    ガイド筒
６４    ガイド穴
６５    ガイド面
【図１】
0006334430.tif 000002
【図２】
0006334430.tif 000003
【図３】
0006334430.tif 000004
【図４】
0006334430.tif 000005
【図５】
0006334430.tif 000006
【図６】
0006334430.tif 000007
【図７】
0006334430.tif 000008
【図８】
0006334430.tif 000009
【図９】
0006334430.tif 000010
【図１０】
0006334430.tif 000011
【図１１】
0006334430.tif 000012
【図１２】
0006334430.tif 000013